(57)【特許請求の範囲】
【請求項１】
記憶媒体を着脱可能に装着する装着部と、
複数のデータを記録するメモリと、
前記メモリに記録されているデータのうちから、前記装着部に装着された記憶媒体へ転送すべき複数のデータを選択する選択手段と、
前記選択手段により選択された複数のデータを特定する為の特定情報を記述する第１の制御情報を前記メモリに記録する記録制御手段と、
装着された前記記憶媒体の残容量が、前記制御情報によって特定されるデータの全てを記録するのに足りない場合に、前記装着部に装着された記憶媒体に記録可能な容量のデータを、前記メモリから前記記憶媒体に転送するとともに、転送されたデータを特定する為の特定情報が記述された第２の制御情報を作成して前記記憶媒体に転送する転送手段とを有し、
前記装着部に装着された記録媒体へデータ及び前記第２の制御情報を転送後に、前記装着部に装着される記憶媒体が交換されたことに応じて、前記転送手段は、前記第１の制御情報により特定されるデータのうち転送していないデータを、交換された記憶媒体へ転送するとともに、前記交換された記憶媒体へ転送したデータを特定する為の特定情報が記述された第３の制御情報を前記交換された記憶媒体に転送し、
前記第１及び第２の制御情報に含まれる特定情報は、再生順に関わる番号情報が記録されており、
前記転送手段は、前記第１の制御情報に記述されている番号情報を前記第２の制御情報に記述し、前記記録媒体の交換後は、前記第１の制御情報に記述されている番号情報ではなく、番号情報をリセットして第３の制御情報を作成することを特徴とする情報処理装置。
【請求項２】
前記転送手段が、前記装着部に装着された記録媒体へデータ及び前記第２の制御情報を転送後に、前記装着部に装着される記録媒体の交換を促すガイダンス表示する表示手段とを有することを特徴とする請求項１に記載の情報処理装置。
【請求項３】
前記第１の制御情報、前記第２の制御情報、前記第３の制御情報は、それぞれＤＰＯＦファイルとして生成されることを特徴とする請求項１または２に記載の情報処理装置。
【請求項４】
前記第１の制御情報、および、前記第２の制御情報、および、前記第３の制御情報において、前記番号情報は、ＤＰＯＦファイルのジョブＩＤとして記述されることを特徴とする請求項３に記載の情報処理装置。
【請求項５】
記憶媒体を着脱可能に装着する装着部と、
複数のデータを記録するメモリと、
前記メモリに記録されているデータのうちから、前記装着部に装着された記憶媒体へ転送すべき複数のデータを選択する選択手段と、
記憶媒体に転送する画像を特定するための第１の制御情報であって、前記選択手段により選択された複数のデータについて、データを特定する為の特定情報と当該データのジョブＩＤとが記述された第１の制御情報を前記メモリに記録する記録制御手段と、
前記装着部に装着された記憶媒体にデータを転送する転送手段と、
前記装着部に装着された第１の前記記憶媒体の残容量が、前記第１の制御情報によって特定されるデータの全てを記録するのに足りない場合に、前記装着部に装着された記憶媒体に記録可能な容量のデータを、前記転送手段により前記メモリから前記第１の記憶媒体に転送するとともに、前記第１の記憶媒体に転送されたデータを特定する為の特定情報と前記第１の制御情報に記載されている前記転送されたデータのジョブＩＤとが記述された第２の制御情報を作成して前記転送手段により前記第１の記憶媒体に転送するように制御する第１の転送制御手段と、
前記第１の記憶媒体に転送されなかった前記第１の制御情報によって特定されるデータを、前記第１の記憶媒体とは異なる第２の記憶媒体であって、前記装着部に装着された第２の記憶媒体に前記転送手段により転送するとともに、前記第２の記憶媒体に転送されたデータを特定する為の特定情報と、前記転送されたデータのジョブＩＤとが記述された第３の制御情報を作成して前記転送手段により前記第２の記憶媒体に転送するように制御する第２の転送制御手段と、を有し、
前記第２の転送制御手段は、前記第１の制御情報とは異なるジョブＩＤを、前記第２の記憶媒体に転送されたデータのジョブＩＤとして記述した第３の制御情報を作成することを特徴とする情報処理装置。
【請求項６】
記憶媒体を着脱可能に装着する装着部と、
複数のデータを記録するメモリとを有する情報処理装置の制御方法であって、
前記メモリに記録されているデータのうちから、前記装着部に装着された記憶媒体へ転送すべき複数のデータを選択する選択工程と、
前記選択工程により選択された複数のデータを特定する為の特定情報を記述する第１の制御情報を前記メモリに記録する記録制御工程と、
装着された前記記憶媒体の残容量が、前記制御情報によって特定されるデータの全てを記録するのに足りない場合に、前記装着部に装着された記憶媒体に記録可能な容量のデータを、前記メモリから前記記憶媒体に転送するとともに、転送されたデータを特定する為の特定情報が記述された第２の制御情報を作成して前記記憶媒体に転送する第１の転送工程と、
前記装着部に装着された記録媒体へデータ及び前記第２の制御情報を転送後に、前記装着部に装着される記憶媒体が交換されたことに応じて、前記第１の制御情報により特定されるデータのうち転送していないデータを、交換された記憶媒体へ転送するとともに、前記交換された記憶媒体へ転送したデータを特定する為の特定情報が記述された第３の制御情報を前記交換された記憶媒体に転送する第２の転送工程と、を有し、
前記第１及び第２の制御情報に含まれる特定情報は、再生順に関わる番号情報が記録されており、
前記第１の転送工程では、前記第１の制御情報に記述されている番号情報を前記第２の制御情報に記述し、前記第２の転送工程では、前記第１の制御情報に記述されている番号情報ではなく、番号情報をリセットして第３の制御情報を作成することを特徴とする制御方法。
【請求項７】
前記装着部に装着された記録媒体へデータ及び前記第２の制御情報を転送後に、前記装着部に装着される記録媒体の交換を促すガイダンス表示する表示工程とを有することを特徴とする請求項６に記載の制御方法。
【発明の詳細な説明】
【技術分野】
【０００１】
本発明は、記録媒体に記録されるデータを他の着脱可能な記録媒体に転送するおよび情報処理方法に関するものである。
【背景技術】
【０００２】
デジタルカメラなどの撮影機器は、撮影した静止画像または動画像を着脱可能な記憶媒体に記録するタイプや、内蔵する大容量記録媒体に記録するタイプ、または、これらを組み合わせたタイプのものがある。
【０００３】
また、複数の記録媒体を装着可能な記録再生装置では、複数の記録媒体間でデータの転送または複写を行うことが可能である。例えばデータの複写を行う場合に、１つのファイル選択するたびに選択されたファイルを転送またはコピーするものや、予め選択した複数のファイルまたは全ファイルを一括で転送や複写することが可能である。
【０００４】
また、記録媒体に記録されているＤＰＯＦファイルと呼ばれる制御情報に従って、複数の画像データを順次、再生することも知られている（特許文献１参照）。
【０００５】
またこのようなＤＰＯＦを利用して、複数の画像のスライドショーや、外部機器への自動転送を行うことも可能である。
【特許文献１】特開２００３−１１６０９３号公報
【発明の開示】
【発明が解決しようとする課題】
【０００６】
近年は、ハードディスク（ＨＤＤ）が大容量化が進み、一般に良く使われるメモリカードの容量よりもはるかに大容量である。しかしながら、転送やコピーしようとするデータが多くなると、コピー先のメモリカードの残容量を簡単に越えてしまう。
【０００７】
このような場合は、例えば着脱可能な記録媒体を複数枚用意しなければならないし、記録媒体の残容量に合わせて、記録可能なデータ量の分のデータを選択しなければならない。これでは操作が複雑になり大変不便である。
【０００８】
またＤＰＯＦのように、あらかじめ転送や再生すべきデータを特定する情報を、データの転送後に活用しようと思っても、転送先の記憶媒体が複数に分割されてしまうような場合には、その制御情報を活用する術が無かった。特に、スライドショーなど予め再生順等を決めておいた場合には、せっかく設定した再生順を、データの転送の後に活用できなくなってしまう。
【０００９】
本発明はこれらの課題を解決するためのものである。
【００１０】
特に転送やコピーを行うべきデータは、予め複数を選択することで選択操作の煩雑さを軽減するとともに、転送やコピーを簡単に行うことができるようにする。
また、予め決めている順番を、データの転送後にも活用できるようにする事を目的とする。
【課題を解決するための手段】
【００１１】
かかる課題を解決する為の情報処理装置は、記憶媒体を着脱可能に装着する装着部と、複数のデータを記録するメモリと、
メモリに記録されているデータのうちから、装着部に装着された記憶媒体へ転送すべき複数のデータを選択する選択手段と、選択手段により選択された複数のデータを特定する為の特定情報を記述する第１の制御情報をメモリに記録する記録制御手段と、装着された記憶媒体の残容量が、制御情報によって特定されるデータの全てを記録するのに足りない場合に、装着部に装着された記憶媒体に記録可能な容量のデータを、メモリから記憶媒体に転送するとともに、転送されたデータを特定する為の特定情報が記述された第２の制御情報を作成して記憶媒体に転送する転送手段とを有し、装着部に装着された記録媒体へデータ及び第２の制御情報を転送後に、装着部に装着される記憶媒体が交換されたことに応じて、転送手段は、第１の制御情報により特定されるデータのうち転送していないデータを、交換された記憶媒体へ転送するとともに、交換された記憶媒体へ転送したデータを特定する為の特定情報が記述された第３の制御情報を交換された記憶媒体に転送し、第１及び第２の制御情報に含まれる特定情報は、再生順に関わる番号情報が記録されており、転送手段は、第１の制御情報に記述されている番号情報を第２の制御情報に記述し、記録媒体の交換後は、第１の制御情報に記述されている番号情報ではなく、番号情報をリセットして第３の制御情報を作成することを特徴とする。
【発明の効果】
【００１２】
本発明によれば、転送対象のデータが多くなり転送先の記憶媒体の残容量を越えてしまう場合であっても、転送対象データは予め複数を選択することで選択操作の煩雑さを軽減するとともに、選択したデータの転送やコピーを簡単に行うことができるようにする。特に転送すべき複数のデータが複数の記憶媒体に分割的に記録される場合の操作性を向上する。
【００１３】
さらには、転送すべきデータを特定する為の制御情報を、データ転送の後であっても活用できるようにする。
【００１４】
特に予め再生順等を決めておいた場合に、データ転送の後であっても、予めその再生順を活用できる。
【発明を実施するための最良の形態】
【００１５】
（実施例１）
図１に本発明を実現するためのシステム図を示す。ここではデジタルカメラ（以後、カメラと呼ぶ）を例に説明を行う。ただし、本発明は、カメラのみに適用可能なものではなく、各種のデータを扱う機器であって、他の記録媒体でデータを転送や複写を行うことができる情報処理装置に適用可能である。
【００１６】
カメラ（１００）はシステムを制御するシステムコントローラ（１０１）と各機能を処理するブロックから構成される。システムコントローラ１０１は、後述する画像データやシステムファイルを、記録媒体１０５へ記録する記録制御や、記録媒体１０５からデータを読み出す読み出し制御等を行うことが可能となっている。
【００１７】
デジタルカメラを用いて映像を記録する際、まず撮像部（１０２）（光学系とその光学系を制御するためのモータ、撮像素子などから構成される）を通過した外光は撮像素子の面上に光学像を結像し、撮像素子により電気信号に変換される。この撮像部の光学系は、レンズやシャッターを含む。また撮像素子は、ＣＣＤやＣＭＯＳ等を適用可能である。撮像素子からの電気信号は画像音声処理部（１０３）によりデジタルデータに変換される。この画像音声処理部は、ハードウェアで構成させる処理回路でも良いし、画像音声処理用のアプリケーションに従って動作するＣＰＵでもよい。その場合に、画像音声処理用のアプリケーションは内蔵のメモリ１０７に格納されている。デジタルデータは記憶媒体インターフェイス（１０４）を経由してカメラ本体に装着された着脱可能な記憶媒体（１０５）（以後、記憶媒体と呼ぶ）に記録される。記憶媒体の装着状態は記憶媒体検出部（１０６）によって検出される。またデジタルデータは、カメラ設定に従ってカメラ本体内のメモリ（１０７）に記録可能に構成している。
【００１８】
記憶媒体１０５に記録されたデータを再生する際、記憶媒体１０５から記憶媒体インターフェイス１０４を経由して読み出されたデータは画像音声処理部で表示に最適なデータに変換された後に表示部（１０８）に表示される。また、カメラ本体内のメモリ（１０７）に記録されているデータも画像音声処理部（１０３）で表示に最適なデータに変換された後に表示部（１０８）に表示可能である。
【００１９】
ユーザはカメラの操作をユーザ操作部（１１０）によって行うことができる。また音声出力部（１０９）はカメラ内部の状態をユーザに知らせるための警告音や映像再生時の音声を出力することができる。同時に警告やカメラの動作状態は表示部にも表示することが可能である。
【００２０】
図１１は後述するリストファイルの一例である。このリストファイルは転送や複写の対象となるデータを特定する為の情報が記述されており、装置がこのリストファイルにしたがって転送処理を行う為の制御情報として機能する。
【００２１】
ここでは、自動送信用に生成されたＤＰＯＦファイルを用いている。このＤＰＯＦファイルの場合、自動送信対象の画像はそれぞれ、１１０２と１１０４の様に、データを特定する為の特定情報で記述される。ここでは、
．．／ＤＣＩＭ／１００ＡＢＣＤＥ／ＡＢＣＤ０００１．ＪＰＧ
．．／ＤＣＩＭ／１００ＡＢＣＤＥ／ＡＢＣＤ０００３．ＪＰＧ
で示されている２行が、送信対象のデータである。この意味は、「ＤＣＩＭ」というディレクトリがあって、その中に「１００ＡＢＣＤＥ」という更なるディレクトリがあり、その中のファイル名「ＡＢＣＤ０００１．ＪＰＧ」或いは「ＡＢＣＤ０００３．ＪＰＧ」が転送対象として指定されたことを示している。
【００２２】
なお、ファイル名「ＡＢＣＤ０００１．ＪＰＧ」或いは「ＡＢＣＤ０００３．ＪＰＧ」の変わりに、動画像データやテキストデータなどを指定することも可能である。
【００２３】
また、１１０１と１１０３は、各ＪＯＢに割り振られるＩＤである。本装置においては、このＩＤに割り振られる番号情報を用いてデータの転送順を決めている。
【００２４】
転送や送信の対象として選択したデータが多ければ多いほど、このリストファイルの記載は長くなっていき、ＩＤに割り当てられる数字も大きくなっていく。例えば、動画像や静止画像を含めてトータルで１００個のデータを転送対象とした場合、ＩＤは１から１００まで割り振ることとしている。
【００２５】
なお、このＩＤの番号情報を用いて、スライドショー表示の再生順やプリントする場合のプリント順を規定することも可能である。また、予め設定したこのＩＤの順番をデータの転送後にも活用できるようにするため、データの転送や複写を行った場合に、新たなリストファイルを生成して、転送したデータをいっしょに記録することとする。
【００２６】
つまり、データの転送がＩＤ＝００１〜０１０迄出来た場合には、このＩＤ＝００１〜０１０を有するリストファイルを、転送先の記録媒体に記録する。
【００２７】
なお、本装置においてはＩＤは００１から始まることとしている。ただし、０００や、その他に装置が決めた所定の数字を最初の番号としても良い。
【００２８】
図２は、選択したデータを転送対象として、リストファイルに登録する場合のシーケンスである。
【００２９】
カメラが再生モードでメモリ１０７に記録されているデータ（例えば静止画や動画データ）を表示部１０３に表示している状態で、操作部１１０を用いて、所望のデータを選択状態とする。
【００３０】
ここで、例えばある動画ファイルが選択されていて転送対象としての選択操作がユーザによりなされた場合に、メモリ１０７にリストファイルが存在するか確認する（Ｓ２０２）。
【００３１】
リストファイルが存在しない場合は、メモリ１０７に新規にリストファイルの作成を行い（Ｓ２０３）、リストファイルが存在する場合はそのファイルを開く（Ｓ２０４）。
【００３２】
表示選択状態になっている動画ファイルをリストファイルに追加的に書き込みを行うことで登録する（Ｓ２０５）。
【００３３】
なお、本実施例で転送処理とは、転送元のデータを消去してデータの移動させる処理のみを意味するのではなく、データの複写（コピー）処理であってもよい。
【００３４】
図３はカメラ本体内のメモリ１０７から着脱可能な記録媒体１０５に、メモリ１０７内のリストファイルに登録されているデータ（動画ファイルや静止画ファイル）を転送するシーケンスである。
【００３５】
このシーケンスはカメラを転送モードにして、既に転送対象データを特定する為のリストファイルがメモリ１０７にある場合に実行可能であり、図８のような表示状態のときに、操作部の決定ボタンをユーザが操作することにより実行される。
【００３６】
まず、記憶媒体検出部（１０６）によって、着脱可能な記録媒体が、記憶媒体装着部としての記憶媒体ＩＦに挿入されたか確認する（Ｓ３０１）。
【００３７】
記録媒体が装着されている場合には、その記憶媒体の残容量（空き容量）を確認し（Ｓ３０２）、カメラ本体内蔵記録媒体にリストファイルが存在する確認する（Ｓ３０３）。
【００３８】
次に、カメラ本体内のメモリ１０７にあるリストファイルを開きリストファイルに登録されている転送対象のデータの総容量を確認する（Ｓ３０４）。
【００３９】
着脱可能な記録媒体１０５の残容量が転送対象のデータの総容量より大きいか否かを確認する（Ｓ３０５）。
【００４０】
着脱可能な記録媒体の空き容量が転送対象のデータの総容量より小さい場合には、全ての転送対象データを記憶媒体１０５へ転送する（Ｓ３０６）。
【００４１】
着脱可能な記録媒体の空き容量が転送対象のデータの総容量より大きい場合は、装着されている記憶媒体１０５の残容量がなくなるまで、転送対象のデータを、上述のＩＤ１１０１、１１０３の順に転送する（Ｓ３０７）。
【００４２】
Ｓ３０６やＳ３０７でデータを記憶媒体１０５に転送している間は、図９のような表示となる。
【００４３】
なお、このときに転送できたデータを特定するリストファイルも生成して記録媒体に記録するようにしている。
【００４４】
例えば、リストファイルによって転送対象となっているデータのうち、ＩＤ＝００１〜０１０迄が転送出来た場合には、このＩＤ＝００１〜０１０を有するリストファイルを新たに作成して、転送先の記録媒体に記録する。これにより、その記録媒体においても、転送元で作った順番を活用して、スライドショーなどの順番に関わる処理に活用することができる。
【００４５】
残容量がなくなるまで転送が終った場合は、Ｓ３０８にてリストファイルに記述されている転送対象のデータが全て転送されたかを確認する。
【００４６】
リストファイルに指定されているデータのうち、未転送のデータが存在している場合にはステップＳ３０９で図４の処理に移行する。
【００４７】
リストファイルに指定されているデータが全て記憶媒体１０５に転送された場合には処理を終了する。
【００４８】
図４は図３のＳ３０９で着脱可能な記録媒体の空容量が足りない場合の処理である。
【００４９】
データの転送を着脱可能な記録媒体の残容量（空容量）が無くなるまで行い、その後別の着脱可能な記録媒体へデータ転送の続きを行うシーケンスである。
【００５０】
まずＳ４００で、図１０のように、記録媒体の交換を促すガイダンスメッセージを、表示部１０８に表示する。
【００５１】
その後、新たな着脱可能な記録媒体が記憶媒体装着部としての記憶媒体ＩＦ１０４に挿入されたか確認を行う（Ｓ４０１）。
【００５２】
新たな記憶媒体が装着された場合には、記録媒体の空容量を確認し（Ｓ４０２）、リストファイルに指定されているデータのうち、未転送のデータについての転送処理を行う（Ｓ４０３）。
【００５３】
また、このときも、Ｓ３０７と同様に、リストファイルによって転送対象となっているデータのうち、転送が出来たデータを特定する為のリストファイル作成して記録媒体に記録する。例えば、Ｓ４０３で元のリストファイルのＩＤ＝０１１〜０３０までが転送できた場合には、この２０個のデータを特定する為のリストファイルを作成する。ただし、ＵＤの最初の番号をリセットして、ＩＤ＝００１〜０２０を有するリストファイルを新たに作成し、転送先の記録媒体に記録する。これにより、その記録媒体においても、転送元で作った順番を活用することができるとともに、突然中途半端な番号から始まるリストを作成してしまうことを防止できる。
【００５４】
Ｓ４０４では、リストファイルに記述されている転送対象のデータが全て転送されたかを確認し、終了していない場合はＳ４００へ戻る。
【００５５】
図５はチャプター毎の複数の動画サムネール（動画サムネール１〜５）と、静止画像サムネール１を一覧表示した表示部１０８の表示例であり、太枠（５０１）で表示されているサムネールが現在選択されているサムネールであることを示し、例では動画サムネール１が選択されている。ここで動画サムネールはチャプターの先頭画像を縮小したものとしているが、先頭画像に限るものではなく、チャプターに含まれるシーンのいずれかから作ってもよいし、チャプターを表すアニメーションやアイコンでも良い。静止画サムネールは、静止画像を縮小して作られるものとしているが、これに限るものではなく静止画像を示すアニメーションやアイコンでも良い。ただし、動画サムネールも静止画サムネールも、元の画像の中身が大体認識できるようなものが便利である。
【００５６】
また、上記の様な太枠以外でも、選択画像を認識できるような表示形態であれば、背景の色を変えたり、選択されている画像を大きく表示したりするなどしても良い。
【００５７】
図６は太枠表示されている動画サムネール２が選択されているチャプターで、リストファイルへ登録するかユーザに最終確認している表示例である。
【００５８】
この表示状態で、ユーザが、操作部の例えば決定ボタンを操作することにより、動画サムネール２に対応する動画ファイルを、転送対象としてリストファイルに登録する処理（図２）が行われる。
【００５９】
図７は選択したデータのリストファイルへの登録が終了した場合の表示例である。
【００６０】
上記の実施例ではリストファイルとしてＤＰＯＦファイルを利用しているが、動画のプレイリストファイルをリストファイルとして応用することも可能である。
【００６１】
また、実施例の着脱可能な記録媒体としては、例えば、フロッピー（登録商標）ディスク、ハードディスク、光磁気ディスク、ＣＤ−Ｒ、ＣＤ−ＲＷ、ＤＶＤ−ＲＡＭ、ＤＶＤ−ＲＷ、ＤＶＤ＋ＲＷ、磁気テープ、不揮発性のメモリカード等が利用可能である。
【００６２】
またカメラ本体内蔵のメモリ１０７も、例えば、フロッピー（登録商標）ディスク、ハードディスク、光磁気ディスク、ＣＤ−Ｒ、ＣＤ−ＲＷ、ＤＶＤ−ＲＡＭ、ＤＶＤ−ＲＷ、ＤＶＤ＋ＲＷ、磁気テープ、不揮発性のメモリカード等が利用可能である。
【００６３】
［他の実施の形態］
なお、本発明の目的は、以下の処理を実行することによって達成される。即ち、上述した実施の形態の機能を実現するプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。
【００６４】
この場合、記憶媒体から読み出されたプログラムコード自体が前述した実施の形態の機能を実現することになり、そのプログラムコード及び該プログラムコードを記憶した記憶媒体は本発明を構成することになる。
【００６５】
また、プログラムコードを供給するための記憶媒体としては、次のものを用いることができる。例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等である。または、プログラムコードをネットワークを介してダウンロードしてもよい。
【００６６】
また、コンピュータが読み出したプログラムコードを実行することにより、上記実施の形態の機能が実現される場合も本発明に含まれる。加えて、そのプログラムコードの指示に基づき、コンピュータ上で稼動しているＯＳ（オペレーティングシステム）等が実際の処理の一部または全部を行い、その処理によって前述した実施の形態の機能が実現される場合も含まれる。
【００６７】
更に、前述した実施の形態の機能が以下の処理によって実現される場合も本発明に含まれる。即ち、記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う場合である。
【図面の簡単な説明】
【００６８】
【図１】実施例のカメラのシステム構成図である。
【図２】動画・静止画ファイルのリストファイル登録例
【図３】装置内蔵記録媒体から着脱可能記録媒体への複写実施例
【図４】装置内蔵記録媒体から複数着脱可能記録媒体への複写実施例
【図５】サムネイル表示例
【図６】リストファイルへの登録表示例
【図７】リストファイルへの登録終了表示例
【図８】リストファイルによる複写実施表示例１
【図９】リストファイルによる複写実施表示例２
【図１０】リストファイルによる複写実施表示例３
【図１１】リストファイルの記述例
【図１】
0005020798.tif 000002
【図２】
0005020798.tif 000003
【図３】
0005020798.tif 000004
【図４】
0005020798.tif 000005
【図５】
0005020798.tif 000006
【図６】
0005020798.tif 000007
【図７】
0005020798.tif 000008
【図８】
0005020798.tif 000009
【図９】
0005020798.tif 000010
【図１０】
0005020798.tif 000011
【図１１】
0005020798.tif 000012